(57)【要約】【課題】ダクトの底面から液滴が漏れ出ることを抑制可能な吸気装置、及びインクジェット記録装置を提供すること。【解決手段】インクジェット記録装置は、複数のガイド部材７１Ａ、７１Ｂ、７１Ｃ、７１Ｄによって構成されており、液滴が吐出される吐出空間から排気口７１５へ至るダクト７１と、ダクト７１内を排気口７１５へ向けて移動する気流を発生させるファンと、を備え、ダクト７１は、複数のガイド部材７１Ａ、７１Ｃ、７１Ｄによって形成された底面７１３Ｃを有し、前記気流を案内する第１風路７１３と、底面７１３Ｃにおける継目７１３Ｄを挟んで対向して設けられた一対の壁部７１６、７１７と、継目７１３Ｅを挟んで対向して設けられた一対の壁部７１８、７１９と、を備える。【選択図】図８
2020006525.tif 000002
【特許請求の範囲】
【請求項１】
複数のガイド部材によって構成されており、液滴が吐出される吐出空間から排気口へ至るダクトと、
前記ダクト内を前記排気口へ向けて移動する気流を発生させるファンと、
を備え、
前記ダクトは、
複数の前記ガイド部材によって形成された底面を有し、前記気流を案内する第１風路と、
前記底面における前記ガイド部材間の継目を挟んで対向して設けられた一対の壁部と、
を備える吸気装置。
【請求項２】
前記一対の壁部は、それぞれにおける他方側を向く対向面が互いに接触して設けられる、
請求項１に記載の吸気装置。
【請求項３】
前記一対の壁部のいずれか一方は、その上端部から他方側へ突出して前記一対の壁部の間を覆う遮蔽部を備える、
請求項１又は２に記載の吸気装置。
【請求項４】
前記ダクトは、
前記第１風路から上方へ延出する第２風路と、
前記第２風路の内面に設けられ、前記内面を伝って前記第１風路側へ移動する前記液滴を滞留させる滞留部と、
を備える請求項１〜３のいずれかに記載の吸気装置。
【請求項５】
請求項１〜４のいずれかに記載の吸気装置を備え、
前記液滴は、記録媒体への画像記録に用いられるインクである、
インクジェット記録装置。
【発明の詳細な説明】
【技術分野】
【０００１】
本発明は、吸気装置、及び吸気装置を備えるインクジェット記録装置に関する。
【背景技術】
【０００２】
インクジェット方式で画像を記録可能なインクジェット記録装置は、記録ヘッドと、シート支持部とを備える。前記記録ヘッドは、シートへ向けてインクを吐出する。前記シート支持部は、前記記録ヘッドによるインクの吐出位置でシートを支持する。
【０００３】
この種のインクジェット記録装置では、前記シート支持部におけるシート支持面の裏側から吸気が行われることがある。例えば、前記シート支持面に形成された吸気口から排気口へ通じるダクトと、前記ダクト内を前記吸気口から前記排気口へ移動する気流を発生させるファンとを備えるインクジェット記録装置が知られている（特許文献１参照）。
【先行技術文献】
【特許文献】
【０００４】
【特許文献１】特開２００２−１４４６５０号公報
【発明の概要】
【発明が解決しようとする課題】
【０００５】
ところで、前記ダクトが互いに連結された複数のガイド部材によって構成されており、前記ダクトの底面に前記ガイド部材間の継目が存在する場合には、前記気流に含まれるインクミストによって前記ダクトの底面に溜まったインクが当該継目を経由して前記ダクト外に漏れ出ることがある。
【０００６】
本発明の目的は、ダクトの底面から液滴が漏れ出ることを抑制可能な吸気装置、及びインクジェット記録装置を提供することにある。
【課題を解決するための手段】
【０００７】
本発明の一の局面に係る吸気装置は、ダクトと、ファンとを備える。前記ダクトは、複数のガイド部材によって構成されており、液滴が吐出される吐出空間から排気口へ至る。前記ファンは、前記ダクト内を前記排気口へ向けて移動する気流を発生させる。また、前記ダクトは、第１風路と、一対の壁部とを備える。前記第１風路は、複数の前記ガイド部材によって形成された底面を有し、前記気流を案内する。前記一対の壁部は、前記底面における前記ガイド部材間の継目を挟んで対向して設けられる。
【０００８】
本発明の他の局面に係るインクジェット記録装置は、前記吸気装置を備え、前記液滴は、記録媒体への画像記録に用いられるインクである。
【発明の効果】
【０００９】
本発明によれば、ダクトの底面から液滴が漏れ出ることを抑制することが可能である。
【図面の簡単な説明】
【００１０】
【図１】図１は、本発明の実施形態に係るインクジェット記録装置の構成を示す図である。
【図２】図２は、本発明の実施形態に係るインクジェット記録装置における記録部の構成を示す図である。
【図３】図３は、本発明の実施形態に係るインクジェット記録装置における搬送ベルトの表面の構成を示す図である。
【図４】図４は、本発明の実施形態に係るインクジェット記録装置における吸気部の構成を示す図である。
【図５】図５は、本発明の実施形態に係るインクジェット記録装置における吸気部の構成を示す図である。
【図６】図６は、本発明の実施形態に係るインクジェット記録装置におけるダクトの構成を示す図である。
【図７】図７は、本発明の実施形態に係るインクジェット記録装置におけるダクトの構成を示す図である。
【図８】図８は、本発明の実施形態に係るインクジェット記録装置におけるダクトの構成を示す図である。
【図９】図９は、本発明の実施形態に係るインクジェット記録装置におけるダクトの変形例を示す図である。
【発明を実施するための形態】
【００１１】
以下、添付図面を参照しながら、本発明の実施形態について説明する。なお、以下の実施形態は、本発明を具体化した一例であって、本発明の技術的範囲を限定するものではない。
【００１２】
［インクジェット記録装置１０の概略構成］
まず、図１〜図３を参照しつつ、本発明の実施形態に係るインクジェット記録装置１０の概略構成について説明する。ここで、図１はインクジェット記録装置１０の構成を示す断面模式図である。また、図２は記録部３の構成を示す平面図である。また、図３は図２における二点鎖線で囲まれた領域Ｘ１の拡大図である。なお、図１では、インクジェット記録装置１０の筐体１１内部におけるシートの搬送経路Ｒ１が二点鎖線によって示されている。
【００１３】
なお、説明の便宜上、インクジェット記録装置１０が使用可能な設置状態（図１に示される状態）で鉛直方向を上下方向Ｄ１と定義する。また、図１に示されるインクジェット記録装置１０の紙面手前側の面を正面（前面）として前後方向Ｄ２を定義する。また、前記設置状態のインクジェット記録装置１０の正面を基準として左右方向Ｄ３を定義する。
【００１４】
インクジェット記録装置１０は、インクジェット方式で画像を記録可能なプリンターである。なお、インクジェット記録装置１０は、ファクシミリ装置、コピー機、又は複合機であってもよい。
【００１５】
図１に示されるように、インクジェット記録装置１０は、給紙カセット１、給紙部２、記録部３、インクコンテナ部４、搬送ユニット５、排紙部６、及び吸気部７を備える。
【００１６】
給紙カセット１には、インクジェット記録装置１０において画像記録の対象となるシート（本発明の記録媒体の一例）が収容される。例えば、給紙カセット１に収容されるシートは、紙、コート紙、ハガキ、封筒、及びＯＨＰシートなどのシート材料である。
【００１７】
インクジェット記録装置１０では、給紙カセット１に収容されたシートが、記録部３によってインクが吐出される吐出空間ＳＰ１を経由する搬送経路Ｒ１に沿って搬送される。
【００１８】
給紙部２は、給紙カセット１に収容されているシートを吐出空間ＳＰ１に供給する。図１に示されるように、給紙部２は、ピックアップローラー２１、搬送ローラー２２、搬送路２３、手差しトレイ２４、給紙ローラー２５、及びレジストローラー２６を備える。
【００１９】
ピックアップローラー２１は、給紙カセット１からシートを１枚ずつ取り出す。搬送ローラー２２は、ピックアップローラー２１によって取り出されたシートをレジストローラー２６へ搬送する。搬送路２３は、給紙カセット１及び手差しトレイ２４から吐出空間ＳＰ１へ至るシートの移動通路である。手差しトレイ２４及び給紙ローラー２５は、外部からシートを供給するために用いられる。レジストローラー２６は、予め定められた搬送タイミングが到来するごとに、シートを吐出空間ＳＰ１へ搬送する。例えば、前記搬送タイミングは、搬送経路Ｒ１におけるレジストローラー２６よりもシートの搬送方向Ｄ４の上流側に設けられた不図示のシートセンサーによってシートの先端が検出された時から予め定められた時間が経過したタイミングである。
【００２０】
記録部３は、搬送ユニット５の搬送ベルト５１によって支持されたシートへ向けてインク（本発明の液滴の一例）を吐出して、当該シートに画像を記録する。図１に示されるように、記録部３は、搬送ユニット５の上側に設けられる。記録部３及び搬送ユニット５の搬送ベルト５１の間の空間が、吐出空間ＳＰ１である。
【００２１】
記録部３は、ブラック、シアン、マゼンタ、イエローの各色に対応するラインヘッド３１、３２、３３、３４と、これらを支持するヘッドフレーム３５とを備える。ヘッドフレーム３５はインクジェット記録装置１０の筐体１１に支持されている。なお、記録部３の備えるラインヘッドの数は４つに限られず、１つ以上３つ以下であってもよいし、５つ以上であってもよい。
【００２２】
ラインヘッド３１〜３４各々は、所謂ラインヘッド型の記録ヘッドである。即ち、インクジェット記録装置１０は、所謂ラインヘッド型のプリンターである。図２に示されるように、ラインヘッド３１〜３４各々は、前後方向Ｄ２に長尺である。具体的に、ラインヘッド３１〜３４各々は、前後方向Ｄ２において、給紙カセット１に収容可能なシートのうち最大サイズのシートの幅に対応する長さを有する。ラインヘッド３１〜３４は、シートの搬送方向Ｄ４に沿って所定間隔を隔てられて、ヘッドフレーム３５に固定されている。
【００２３】
図２に示されるように、ラインヘッド３１〜３４各々は、複数の記録ヘッド３０を有する。記録ヘッド３０は、搬送ベルト５１によって支持されたシートへ向けてインクを吐出する。具体的に、記録ヘッド３０における搬送ベルト５１との対向面には、開口を有するインク吐出用の多数のノズル３０Ａが設けられている。また、記録ヘッド３０の内部には、ノズル３０Ａ各々に対応する加圧室（不図示）、及び前記加圧室各々に対応する圧電素子（不図示）が設けられている。前記圧電素子は、予め定められた駆動電圧の印加に応じて前記加圧室に収容されたインクを加圧し、ノズル３０Ａからインクを吐出させる。前記圧電素子の駆動は、画像記録に用いられる画像データに基づいて制御される。
【００２４】
本実施形態では、ラインヘッド３１は、前後方向Ｄ２に沿って３つの記録ヘッド３０が千鳥状に配列されている。また、ラインヘッド３２〜３４各々も、ラインヘッド３１と同様に、前後方向Ｄ２に沿って３つの記録ヘッド３０が千鳥状に配列されている。なお、図２には、記録部３を図１の上側から見た場合の記録ヘッド３０の配置状態が示されている。
【００２５】
図１に示されるように、インクコンテナ部４は、ブラック、シアン、マゼンタ、イエローの各色に対応するインクが収容されたインクコンテナ４１、４２、４３、４４を備える。インクコンテナ４１〜４４各々は、不図示のインク供給部を介してラインヘッド３１〜３４のうち対応する色のインクコンテナに接続されている。
【００２６】
搬送ユニット５は、吐出空間ＳＰ１においてシートを支持するとともに、当該シートを排紙部６へ搬送する。図１に示されるように、搬送ユニット５は、搬送ベルト５１、搬送ベルト５１を張架する張架ローラー５２〜５４、及びこれらを支持する搬送フレーム５５を備える。
【００２７】
張架ローラー５２及び張架ローラー５３は、吐出空間ＳＰ１を挟んで左右方向Ｄ３に離間して設けられる。張架ローラー５４は、張架ローラー５２及び張架ローラー５３の間であって、張架ローラー５２及び張架ローラー５３よりも下側の位置に設けられる。これらの張架ローラー５２〜５４によって張架された搬送ベルト５１は、シートをラインヘッド３１〜３４各々に対向する姿勢で支持するシート支持面Ｆ１を形成する。なお、シート支持面Ｆ１と記録ヘッド３０との間隙は、例えば、画像形成時のシートの表面と記録ヘッド３０との間隙が１ｍｍとなるように調整される。
【００２８】
搬送ベルト５１の表面には、多数の貫通孔５１１（図３参照）が形成されている。貫通孔５１１は、搬送ベルト５１の表面の全領域において規則的に配置されている。
【００２９】
張架ローラー５２は、不図示のモーターから供給される回転駆動力により回転駆動される。これにより、搬送ベルト５１は、シートを搬送方向Ｄ４へ搬送可能な方向に回動する。そのため、シート支持面Ｆ１によって支持されたシートは、搬送ベルト５１の回動によって排紙部６へ搬送される。なお、張架ローラー５２の対向位置には、シートを搬送ベルト５１に押しつけて搬送させるための圧ローラー５６が設けられている。
【００３０】
排紙部６は、記録部３によって画像が記録されたシートを外部へ排出する。図１に示されるように、排紙部６は、乾燥装置６１、搬送路６２、排紙ローラー６３、及び排紙トレイ６４を備える。乾燥装置６１は、例えばシートに送風することにより、シートに付着したインクを乾燥させる。搬送路６２は、吐出空間ＳＰ１から排紙トレイ６４へ至るシートの移動通路である。排紙ローラー６３は、シートを排紙トレイ６４に排出する。
【００３１】
次に、図１、及び図４〜図７を参照しつつ、吸気部７について説明する。ここで、図４は搬送ユニット５及び吸気部７の構成を示す平面図である。また、図５は吸気部７の構成を示す斜視図である。また、図６はダクト７１のうちガイド部材７１Ａ及びガイド部材７１Ｂによって構成される部分を示す斜視図である。また、図７はダクト７１のうちガイド部材７１Ｃ及びガイド部材７１Ｄによって構成される部分を示す斜視図である。なお、図５では、ダクト７１を構成するガイド部材間の連結部が一点鎖線によって示されている。また、図６では、ガイド部材７１Ａとガイド部材７１Ｂとの連結部が一点鎖線によって示されている。また、図７では、ガイド部材７１Ｃとガイド部材７１Ｄとの連結部が一点鎖線によって示されている。
【００３２】
吸気部７は、シート支持面Ｆ１（図１参照）の裏側から吸気を行い、シート支持面Ｆ１に支持されたシートをシート支持面Ｆ１に吸着させる。吸気部７が、本発明の吸気装置の一例である。
【００３３】
図１、及び図５に示されるように、吸気部７は、ダクト７１、ファン７３、及びフィルター７４を備える。
【００３４】
ダクト７１は、吐出空間ＳＰ１から筐体１１の外部へ至る空気の移動通路である。
【００３５】
図５に示されるように、ダクト７１は、収容部７１１、吸気口７１２、第１風路７１３、第２風路７１４、及び排気口７１５を備える。
【００３６】
収容部７１１は、ファン７３（図６参照）を収容する。収容部７１１は、搬送ベルト５１を挟んで記録部３に対向して設けられる。換言すると、収容部７１１は、シート支持面Ｆ１の裏側に設けられる。図６に示されるように、収容部７１１は、後方側の側壁７１１Ａの中央部が開かれた箱型状に形成されており、後方側が第１風路７１３に通じている。
【００３７】
収容部７１１の上面には、吸気口７１２が設けられる。図４に示されるように、吸気口７１２は、搬送ベルト５１における前後方向Ｄ２の中央部と対向する位置で、搬送方向Ｄ４に沿って三つ並んで設けられる。図１に示されるように、吸気口７１２は、搬送ベルト５１を挟んで記録部３へ向けて開口している。収容部７１１の内部空間は、吸気口７１２及び搬送ベルト５１の貫通孔５１１（図３参照）を介して、吐出空間ＳＰ１に通じている。
【００３８】
第１風路７１３は、収容部７１１の側壁７１１Ａから後方へ向けて形成される空気の移動通路である。図５に示されるように、第１風路７１３は、先細り部７１３Ａ、及び延出部７１３Ｂを有する。図６に示されるように、先細り部７１３Ａは、収容部７１１の後端部に連続しており、後方へ向けて左右の側壁が先細る先細り形状に形成される。図５に示されるように、延出部７１３Ｂは、先細り部７１３Ａにおける後端部（ガイド部材７１Ａ及び７１Ｂとガイド部材７１Ｃとの間の連結部）から後方へ延出する中空の四角柱状に形成される。延出部７１３Ｂは、第２風路７１４の後端部を形成する壁部７１４Ａ（図５参照）まで延出している。
【００３９】
第２風路７１４は、第１風路７１３から上方へ向けて形成される空気の移動通路である。図５に示されるように、第２風路７１４は、延出部７１３Ｂの延出端から上方へ延出する中空の四角柱状に形成される。第２風路７１４の上端部は、排気口７１５の縁部を形成する。排気口７１５は、筐体１１の外面に設けられた不図示の開口に接続される。
【００４０】
図６及び図７に示されるように、ダクト７１は、ガイド部材７１Ａ、７１Ｂ、７１Ｃ、７１Ｄにより構成される。ガイド部材７１Ａ、７１Ｂ、７１Ｃ、７１Ｄ各々は、例えば、樹脂によって形成された部材である。
【００４１】
具体的に、図６に示されるように、ダクト７１の収容部７１１及び先細り部７１３Ａは、ガイド部材７１Ａ及びガイド部材７１Ｂにより構成される。ガイド部材７１Ａは、収容部７１１及び先細り部７１３Ａ各々の下部を形成している。ガイド部材７１Ｂは、収容部７１１及び先細り部７１３Ａ各々の上部を形成している。
【００４２】
また、図７に示されるように、ダクト７１の延出部７１３Ｂ及び第２風路７１４は、ガイド部材７１Ｃ及びガイド部材７１Ｄにより構成される。ガイド部材７１Ｃは、延出部７１３Ｂ及び第２風路７１４各々の前部を形成している。ガイド部材７１Ｄは、延出部７１３Ｂ及び第２風路７１４各々の後部を形成している。
【００４３】
ファン７３は、ダクト７１内を排気口７１５へ向けて移動する気流を発生させる。図６に示されるように、ファン７３は、収容部７１１内において吸気口７１２各々の下側に設けられる。例えば、ファン７３は、吸気口７１２側から空気を吸い込み、吸い込んだ空気を第１風路７１３側へ向かう吹き出し方向Ｄ５（図５参照）へ吹き出すシロッコファンである。ファン７３が駆動されることで、吐出空間ＳＰ１の空気が搬送ベルト５１の貫通孔５１１及び吸気口７１２を経由してダクト７１内に吸い込まれる。これにより、シート支持面Ｆ１に支持されたシートがシート支持面Ｆ１に吸着される。また、ファン７３から吹き出し方向Ｄ５に吹き出された空気は、第１風路７１３及び第２風路７１４によって排気口７１５へ案内される。
【００４４】
なお、収容部７１１の上面に設けられる吸気口７１２の数及び配置は、以上に述べたものとは異なっていてもよい。また、ファン７３の数及び配置も、以上に述べたものとは異なっていてもよい。
【００４５】
フィルター７４は、第２風路７１４における排気口７１５の近傍に設けられている。フィルター７４は、ファン７３によって発生する気流に含まれるインクミストを捕捉する。
【００４６】
ところで、インクジェット記録装置１０では、第１風路７１３の底面７１３Ｃ（図８参照）がガイド部材７１Ａ、ガイド部材７１Ｃ、及びガイド部材７１Ｄにより形成されている。そのため、底面７１３Ｃには、ガイド部材７１Ａ及びガイド部材７１Ｃによって形成された継目７１３Ｄ（図８参照）、並びにガイド部材７１Ｃ及びガイド部材７１Ｄによって形成された継目７１３Ｅ（図８参照）が存在する。底面７１３Ｃが継目７１３Ｄ及び継目７１３Ｅを有する場合には、ダクト７１内を移動する気流に含まれるインクミストによって底面７１３Ｃに溜まったインクが継目７１３Ｄ又は継目７１３Ｅを経由してダクト７１外に漏れ出ることがある。
【００４７】
これに対し、本発明の実施形態に係るインクジェット記録装置１０では、以下に説明するように、底面７１３Ｃからインクが漏れ出ることを抑制することが可能である。
【００４８】
具体的に、ダクト７１は、図８に示されるように、一対の壁部７１６〜７１７、遮蔽部７１８、一対の壁部７１９〜７２０、遮蔽部７２１、及び滞留部７２２〜７２３を備える。ここで、図８は図４におけるＶＩＩＩ−ＶＩＩＩ矢視断面図である。なお、図８では、ダクト７１を構成するガイド部材間の連結部が一点鎖線によって示されている。
【００４９】
一対の壁部７１６〜７１７は、底面７１３Ｃにおいて継目７１３Ｄを挟んで対向して設けられる。具体的に、図８に示されるように、壁部７１６は、ガイド部材７１Ａにおける後方側の端部に設けられる。また、壁部７１７は、ガイド部材７１Ｃにおける前方側の端部に設けられる。一対の壁部７１６〜７１７は、それぞれにおける他方側を向く対向面が互いに接触して設けられる。一対の壁部７１６〜７１７は、第１風路７１３における左右の側壁間の全域に亘って延在して設けられる。一対の壁部７１６〜７１７により、底面７１３Ｃに溜まったインクの継目７１３Ｄへの移動が妨げられる。
【００５０】
遮蔽部７１８は、壁部７１６と壁部７１７との間を覆うように、壁部７１６の上端部から壁部７１７側へ突出して設けられる。具体的に、図８に示されるように、遮蔽部７１８は、壁部７１７よりも後方側へ突出して設けられる。また、遮蔽部７１８は、壁部７１７の上端部との間に隙間が形成されないように、当該上端部に接触して設けられる。遮蔽部７１８により、壁部７１６又は壁部７１７の上端部に付着したインクが、壁部７１６と壁部７１７との間に入り込むことが抑制される。
【００５１】
一対の壁部７１９〜７２０は、底面７１３Ｃにおいて継目７１３Ｅを挟んで対向して設けられる。具体的に、図８に示されるように、壁部７１９は、ガイド部材７１Ｃにおける後方側の端部に設けられる。また、壁部７２０は、ガイド部材７１Ｄにおける前方側の端部に設けられる。一対の壁部７１９〜７２０は、それぞれにおける他方側を向く対向面が互いに接触して設けられる。一対の壁部７１９〜７２０は、第１風路７１３における左右の側壁間の全域に亘って延在して設けられる。一対の壁部７１９〜７２０により、底面７１３Ｃに溜まったインクの継目７１３Ｅへの移動が妨げられる。
【００５２】
遮蔽部７２１は、壁部７１９と壁部７２０との間を覆うように、壁部７２０の上端部から壁部７１９側へ突出して設けられる。具体的に、図８に示されるように、遮蔽部７２１は、壁部７１９よりも前方側へ突出して設けられる。また、遮蔽部７２１は、壁部７１９の上端部との間に隙間が形成されないように、当該上端部に接触して設けられる。遮蔽部７２１により、壁部７１９又は壁部７２０の上端部に付着したインクが、壁部７１９と壁部７２０との間に入り込むことが抑制される。
【００５３】
なお、遮蔽部７２１は、壁部７１９の上端部から壁部７２０側へ突出して設けられてもよい。また、ダクト７１は、遮蔽部７１８及び遮蔽部７２１を備えていなくてもよい。
【００５４】
滞留部７２２〜７２３は、第２風路７１４の内面に設けられ、当該内面を伝って第１風路７１３側へ移動するインクを滞留させる。
【００５５】
具体的に、図８に示されるように、滞留部７２２は、第２風路７１４の前方側の内壁面から後方へ延出する底部と、当該底部の延出端部に立設された壁部とを有する。滞留部７２２は、第２風路７１４における左右の内壁面間の全域に亘って延在して設けられる。滞留部７２２により、第２風路７１４の前方側の内壁面に付着したインクの、第１風路７１３側への移動が妨げられる。そのため、底面７１３Ｃに溜まるインクの量を軽減することが可能である。
【００５６】
また、滞留部７２３は、第２風路７１４の後方側の内壁面から前方へ延出する底部と、当該底部の延出端部に立設された壁部とを有する。滞留部７２３は、第２風路７１４における左右の内壁面間の全域に亘って延在して設けられる。滞留部７２３により、第２風路７１４の後方側の内壁面に付着したインクの、第１風路７１３側への移動が妨げられる。そのため、底面７１３Ｃに溜まるインクの量を軽減することが可能である。
【００５７】
なお、滞留部７２２及び滞留部７２３のいずれか一方又は両方は、第２風路７１４の内壁面に複数設けられてもよい。例えば、ダクト７１内を移動する気流の移動方向に沿って滞留部７２２及び滞留部７２３が交互に設けられてよい。また、ダクト７１は、滞留部７２２及び滞留部７２３を備えていなくてもよい。
【００５８】
このように、インクジェット記録装置１０では、ダクト７１内に、底面７１３Ｃに形成された継目７１３Ｄ及び継目７１３Ｅを挟んで対向する一対の壁部７１６〜７１７及び一対の壁部７１９〜７２０が設けられている。これにより、底面７１３Ｃからインクが漏れ出ることを抑制することが可能である。
【００５９】
なお、図９に示されるように、一対の壁部７１６〜７１７は、それぞれにおける他方側を向く対向面が互いに離間して設けられていてもよい。一対の壁部７１９〜７２０についても、一対の壁部７１６〜７１７と同様に、それぞれにおける他方側を向く対向面が互いに離間して設けられていてよい。
【００６０】
また、図９に示されるように、遮蔽部７１８は、突出端部から下方へ突出する爪部７１８Ａを備えていてもよい。また、遮蔽部７２１は、突出端部から下方へ突出する爪部７２１Ａを備えていてもよい。
【００６１】
また、本発明は、電子写真方式で画像を形成可能な画像形成装置に適用されてもよい。具体的に、定着装置によるトナー像定着後のシートへ向けて霧を吹き付ける加湿装置、及び当該加湿装置によって加湿される空間を吸気する吸気装置を備える画像形成装置に本発明が適用されてもよい。この場合、前記霧に含まれる微小な水滴が、本発明の液滴の他の一例である。
【符号の説明】
【００６２】
１      給紙カセット
２      給紙部
３      記録部
４      インクコンテナ部
５      搬送ユニット
６      排紙部
７      吸気部
１０    インクジェット記録装置
３１〜３４  ラインヘッド
５１    搬送ベルト
７１    ダクト
７１Ａ  ガイド部材
７１Ｂ  ガイド部材
７１Ｃ  ガイド部材
７１Ｄ  ガイド部材
７３    ファン
７４    フィルター
７１１  収容部
７１２  吸気口
７１３  第１風路
７１４  第２風路
７１５  排気口
７１６〜７１７  一対の壁部
７１８  遮蔽部
７１９〜７２０  一対の壁部
７２１  遮蔽部
７２２〜７２３  滞留部
【図１】
2020006525.tif 000003
【図２】
2020006525.tif 000004
【図３】
2020006525.tif 000005
【図４】
2020006525.tif 000006
【図５】
2020006525.tif 000007
【図６】
2020006525.tif 000008
【図７】
2020006525.tif 000009
【図８】
2020006525.tif 000010
【図９】
2020006525.tif 000011